(57)【要約】【課題】ダイナミックレンジの広いパルス入力に対し、簡単な構成回路を用いて高い精度でパルス位置を検出する。【解決手段】ＩＦ帯受信パルス信号ａは、分配器１４で２系統に分配され、一方は増幅器１５で増幅されてリニアビデオ検波器１６でリニアビデオ検波され、他方は対数ビデオ検波器１７で対数ビデオ検波される。それぞれの検波出力ｂ，ｄは半振幅検出回路１８，１９に送られ、半振幅となるタイミングが検出される。レベル検出回路２１では、対数ビデオパルス信号ｄの振幅レベルを検出し、そのレベル検出結果が規定値以上か否かを示すレベル検出信号ｆを発生する。パルス信号ｄが規定値より低い場合、レベル検出信号ｆにより、切換回路２０はリニアビデオ検波側のタイミング検出信号ｃを選択出力する。これに対し、パルス信号ｄが規定値より高い場合、レベル検出信号ｆにより、切換回路２０は対数ビデオ検波側のタイミング検出信号ｅを選択出力する。【選択図】      図１
2008164370.tif 000002
【特許請求の範囲】
【請求項１】
パルス信号の時間的位置を検出するパルス信号処理装置において、
前記パルス信号を第１及び第２の系統に分配する分配器と、
前記第１の系統に分配されたパルス信号を増幅する増幅器と、
この増幅器で増幅されたパルス信号をリニア特性でビデオ検波してリニアビデオ信号に変換するリニアビデオ検波器と、
前記リニアビデオ信号から、その振幅最大値に対して一定の比率のポイントでタイミング検出を行って第１のタイミング検出信号を得る第１のタイミング検出器と、
前記第２の系統に分配されたパルス信号を対数特性でビデオ検波して対数ビデオ信号に変換する対数ビデオ検波器と、
前記対数ビデオ信号から、その振幅最大値に対して一定の比率のポイントでタイミング検出を行って第２のタイミング検出信号を得る第２のタイミング検出器と、
前記対数ビデオ信号の振幅レベルを検出するレベル検出器と、
前記レベル検出器の検出結果に基づいて前記第１及び第２のタイミング検出信号を選択的に切換出力する切換器と
を具備することを特徴とするパルス信号処理装置。
【請求項２】
パルス信号の時間的位置を検出するパルス位置検出方法において、
前記パルス信号を第１及び第２の系統に分配し、
前記第１の系統に分配されたパルス信号を増幅してリニア特性でビデオ検波してリニアビデオ信号に変換し、
前記リニアビデオ信号から、その振幅最大値に対して一定の比率のポイントでタイミング検出を行って第１のタイミング検出信号を求め、
前記第２の系統に分配されたパルス信号を対数特性でビデオ検波して対数ビデオ信号に変換し、
前記対数ビデオ信号から、その振幅最大値に対して一定の比率のポイントでタイミング検出を行って第２のタイミング検出信号を求め、
前記対数ビデオ信号の振幅レベルを検出し、このレベル検出結果に基づいて前記第１及び第２のタイミング検出信号を選択的に切換出力することを特徴とするパルス位置検出方法。
【請求項３】
パルス信号を受信してその時間的位置を検出し、その位置情報を距離情報の指標とするＤＭＥ（Distance Measuring Equipment：距離測定装置）受信装置において、
前記パルス信号を受信して中間周波のパルス信号を検波する受信検波手段と、
この手段で得られたパルス信号を第１及び第２の系統に分配する分配器と、
前記第１の系統に分配されたパルス信号を増幅する増幅器と、
この増幅器で増幅されたパルス信号をリニア特性でビデオ検波してリニアビデオ信号に変換するリニアビデオ検波器と、
前記リニアビデオ信号から、その振幅最大値に対して一定の比率のポイントでタイミング検出を行って第１のタイミング検出信号を得る第１のタイミング検出器と、
前記第２の系統に分配されたパルス信号を対数特性でビデオ検波して対数ビデオ信号に変換する対数ビデオ検波器と、
前記対数ビデオ信号から、その振幅最大値に対して一定の比率のポイントでタイミング検出を行って第２のタイミング検出信号を得る第２のタイミング検出器と、
前記対数ビデオ信号の振幅レベルを検出するレベル検出器と、
前記レベル検出器の検出結果に基づいて前記第１及び第２のタイミング検出信号を選択的に切換出力する切換器と
を具備することを特徴とするＤＭＥ受信装置。
【発明の詳細な説明】
【技術分野】
【０００１】
本発明は、パルス信号の時間的位置を検出するパルス信号処理装置とパルス位置検出方法に係り、特に航空電波航法援助施設の一つである距離測定装置（ＤＭＥ：Distance Measuring Equipment）の受信装置に適用可能なものに関する。
【背景技術】
【０００２】
周知のように、ＤＭＥは、地上局において航空機から送信される質問パルス信号を受信してその時間的位置を検出し、所定内に応答パルス信号を送信することによってその航空機に距離情報を判別させる（例えば特許文献１参照）。このため、パルス位置の検出精度が直接にシステム精度に大きな影響を与える。ＤＭＥでは定められた送受信周波数チャンネルにおけるパルススペクトラムの帯域幅を狭くするため、使用する変調パルスの波形をガウス誤差関数に近似したものとすることが多い。そして、パルス位置検出のタイミング基準点としてパルス立ち上がり部分の半振幅点を採用し、距離測定を行っている。
【０００３】
ここで、ＤＭＥ地上局の受信装置において、距離が異なる多数の航空機から送られてくる質問パルスの振幅は多種多様であり、そのダイナミックレンジは８０ｄＢ以上が要求されている。これに対し、従来では、検波器の直線性のよい部分のみを利用して精度の高いタイミング検出を行うため、受信パルスを中間周波（ＩＦ）信号に変換した段階で４つのレベルに分割し、それぞれのレベルに対応して検波を行い、パルス位置の検出を行っている。ところが、このようなレベル分割による手法は、精度を上げるために分割数を増大するに従って部品点数が多くなるという問題、レベル切換部分の調整作業等が複雑なために保守作業にかかるコストも高くなるという問題が生じている。
【特許文献１】特願平０８−０６８８４３号公報
【発明の開示】
【発明が解決しようとする課題】
【０００４】
以上述べたようにＤＭＥ受信装置に用いられるパルス信号処理装置においては、広いダイナミックレンジに対応すること、入力パルスの高い位置検出精度が要求される。これに対し、従来では、入力パルスを検波する段階でレベル毎に複数系統に分割して個別にリニア検波する方式をとっている。このため、精度の要求に応じて分割数を増大するに従って、必然的に部品点数が増大し、切換調整等の保守作業にかかるコストも増大してしまう。
【０００５】
本発明は上記の問題を解決するためになされたもので、広いダイナミックレンジのパルス入力に対し、簡単な構成回路を用いて、高い精度でパルス位置を検出することのできるパルス信号処理装置、パルス位置検出方法及びＤＭＥ受信装置を提供することを目的とする。
【課題を解決するための手段】
【０００６】
上記目的を達成するために、本発明は、以下のような特徴的構成を有する。
【０００７】
（１）パルス信号の時間的位置を検出するパルス信号処理装置において、前記パルス信号を第１及び第２の系統に分配する分配器と、前記第１の系統に分配されたパルス信号を増幅する増幅器と、この増幅器で増幅されたパルス信号をリニア特性でビデオ検波してリニアビデオ信号に変換するリニアビデオ検波器と、前記リニアビデオ信号から、その振幅最大値に対して一定の比率のポイントでタイミング検出を行って第１のタイミング検出信号を得る第１のタイミング検出器と、前記第２の系統に分配されたパルス信号を対数特性でビデオ検波して対数ビデオ信号に変換する対数ビデオ検波器と、前記対数ビデオ信号から、その振幅最大値に対して一定の比率のポイントでタイミング検出を行って第２のタイミング検出信号を得る第２のタイミング検出器と、前記対数ビデオ信号の振幅レベルを検出するレベル検出器と、前記レベル検出器の検出結果に基づいて前記第１及び第２のタイミング検出信号を選択的に切換出力する切換器とを具備することを特徴とする。
【０００８】
（２）パルス信号の時間的位置を検出するパルス位置検出方法において、前記パルス信号を第１及び第２の系統に分配し、前記第１の系統に分配されたパルス信号を増幅してリニア特性でビデオ検波してリニアビデオ信号に変換し、前記リニアビデオ信号から、その振幅最大値に対して一定の比率のポイントでタイミング検出を行って第１のタイミング検出信号を求め、前記第２の系統に分配されたパルス信号を対数特性でビデオ検波して対数ビデオ信号に変換し、前記対数ビデオ信号から、その振幅最大値に対して一定の比率のポイントでタイミング検出を行って第２のタイミング検出信号を求め、前記対数ビデオ信号の振幅レベルを検出し、このレベル検出結果に基づいて前記第１及び第２のタイミング検出信号を選択的に切換出力することを特徴とする。
【０００９】
（３）航空機から送信されるパルス信号を受信してその時間的位置を検出することによって前記航空機の距離情報を得る距離測定装置において、前記航空機から送信されるパルス信号を受信して中間周波のパルス信号を検波する受信検波手段と、この手段で得られたパルス信号を第１及び第２の系統に分配する分配器と、前記第１の系統に分配されたパルス信号を増幅する増幅器と、この増幅器で増幅されたパルス信号をリニア特性でビデオ検波してリニアビデオ信号に変換するリニアビデオ検波器と、前記リニアビデオ信号から、その振幅最大値に対して一定の比率のポイントでタイミング検出を行って第１のタイミング検出信号を得る第１のタイミング検出器と、前記第２の系統に分配されたパルス信号を対数特性でビデオ検波して対数ビデオ信号に変換する対数ビデオ検波器と、前記対数ビデオ信号から、その振幅最大値に対して一定の比率のポイントでタイミング検出を行って第２のタイミング検出信号を得る第２のタイミング検出器と、前記対数ビデオ信号の振幅レベルを検出するレベル検出器と、前記レベル検出器の検出結果に基づいて前記第１及び第２のタイミング検出信号を選択的に切換出力する切換器とを具備することを特徴とする。
【００１０】
上記構成によるパルス信号処理装置、パルス位置検出方法及びＤＭＥ受信装置では、入力パルス信号のレベルに応じてＳＮ比が増減することに着目し、パルス入力が一定レベルより低いレベルでは、信号のＳＮ比が小さく、リニアビデオ検波によってパルス位置を検出し、パルス位置検出精度を高くする。一方、パルス入力レベルが一定レベル以上大きい場合には、信号のＳＮ比が大きいことから、対数ビデオ検波で精度の高いパルス位置を検出するようにしている。
【発明の効果】
【００１１】
以上のように、本発明では、入力パルス信号のレベルに応じてＳＮ比が増減することを利用して、リニアビデオ検波と対数ビデオ検波を併用するようにしている。したがって、本発明によれば、広いダイナミックレンジのパルス入力に対し、簡単な構成回路を用いて、高い精度でパルス位置を検出することのできるパルス信号処理装置、パルス位置検出方法及び距離測定装置を提供することができる。
【発明を実施するための最良の形態】
【００１２】
以下、図面を参照して本発明の実施の形態について説明する。
【００１３】
図１は、本発明に係るパルス信号処理装置をＤＭＥ地上局の、例えばスーパーヘテロダイン方式の受信装置に適用した場合の構成を示すブロック図である。図１において、アンテナ１１で受けた航空機からのパルス信号は増幅器１２で増幅された後、周波数変換器１３で所定の中間周波（ＩＦ）帯のパルス信号に変換される。このＩＦ帯に変換されたパルス信号ａは、ガウス誤差関数に近似したパルス変調波であり、分配器１４で２系統に分配される。
【００１４】
一方の分配信号は増幅器１５で増幅されてリニアビデオ検波器１６に送られ、他方の分配信号は対数ビデオ検波器１７に送られる。リニアビデオ検波器１６に入力された信号は、リニア特性に基づいてビデオ検波される。これに対し、対数ビデオ検波器１７は、対数特性に基づいてビデオ検波される。それぞれの検波出力（ビデオパルス信号）は半振幅検出回路１８，１９にそれぞれビデオパルス信号ｂと、対数ビデオパルス信号ｄとして送られる。半振幅検出回路１８，１９は、入力パルス信号の最大ピーク値から半分のレベルに達したタイミングを検出するもので、それぞれのタイミング検出信号ｃ，ｅはそれぞれ切換回路２０に送られる。
【００１５】
一方、対数ビデオパルス信号ｄはレベル検出回路２１にも送られる。このレベル検出回路２１は、対数ビデオパルス信号ｄのレベルを検出し、規定値以上の場合は切換回路２０に対数ビデオ検波側のタイミング検出信号ｅを選択させ、規定値に満たない場合は切換回路２０にリニアビデオ検波側のタイミング検出信号ｃを選択させるように制御する。切換回路２１は、レベル検出回路２１からの検出信号ｆに応じて２系統のタイミング検出信号ｃ，ｅを選択的に出力するものである。
【００１６】
上記構成によるＤＭＥ受信装置の処理動作を説明する。
【００１７】
まず、アンテナ１１で受けたパルス信号は増幅器１２で増幅され、周波数変換器１３でＩＦパルス信号に変換される。このＩＦパルス信号ａは、分配器１４で２系統に分配される。一方の分配信号は増幅器１５で増幅され、リニアビデオ検波器１６に送られてリニア特性に基づいてビデオ検波される。他方の分配信号は対数ビデオ検波器１７に送られ、対数特性に基づいてビデオ検波される。それぞれの検波出力ｂ，ｄは半振幅検出回路１８，１９に送られ、立ち上がりから半振幅となるタイミングが検出される。
【００１８】
ここで、レベル検出回路２１では、対数ビデオパルス信号ｄの振幅レベルを検出し、そのレベル検出結果が規定値（ここでは例として−６０ｄＢｍ）以上か否かを示すレベル検出信号を発生する。今、ＩＦパルス信号ａが低い信号レベル（例えば−９０ｄＢｍ以上−６０ｄＢｍ以下）で入力された場合、レベル検出回路２１から出力されるレベル検出信号ｆにより、切換回路２０は、リニアビデオ検波側のタイミング検出信号ｃを切換選択して、タイミング検出信号ｇとして出力する。これに対し、ＩＦパルス信号ａが高い信号レベル（例えば−６０ｄＢｍ以上−１０ｄＢｍ以下）で入力された場合、レベル検出回路２１から出力されるレベル検出信号ｆにより、切換回路２０は、対数ビデオ検波側のタイミング検出信号ｅを切換選択してタイミング検出信号ｇとして出力する。
【００１９】
上記のように、上記構成によるＤＭＥ受信装置では、広いダイナミックレンジのパルス入力に対し、リニアビデオ検波器と対数ビデオ検波器の２種類の簡単な構成回路を用いて、入力パルス信号の信号レベルに応じてそれぞれの検波出力の半振幅検出タイミング信号を選択的に出力するようにしているので、入力パルス信号の信号レベルによらず、高精度でパルス位置を検出することができる。特に、分割数は２系統で済むため、従来の構成に比較して部品点数を飛躍的に削減することができ、回路構成も簡素になることから、装置調整も簡単になり、全体の装置コストを大幅に低減することができる。
【００２０】
尚、本発明は上記実施形態そのままに限定されるものではなく、実施段階ではその要旨を逸脱しない範囲で構成要素を変形して具体化できる。例えば、上記実施形態では、タイミング検出として半振幅を検出するようにしたが、他の比率であっても同様に実施可能である。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００２１】
【図１】本発明に係るＤＭＥ受信装置の一実施形態の構成を示すブロック図。
【符号の説明】
【００２２】
１１…アンテナ、１２…増幅器、１３…周波数変換器、１４…分配器、１５…増幅器、１６…リニアビデオ検波器、１７…対数ビデオ検波器、１８，１９…半振幅検出回路、２０…切換回路、２１…レベル検出回路。
【図１】
2008164370.tif 000003